(57)【要約】【課題】容易に組み立て可能で、かつ、単層構造とされた包装用箱体を提供する。【解決手段】方形状の底壁１１と、底壁１１のうち対向する一対の第１側縁部１２，１２に延設されるとともに底壁１１から立ち上がる一対の第１側壁１４，１４と、底壁１１のうち第１側縁部１２，１２と異なる一対の第２側縁部１３，１３に延設されるとともに底壁１１から立ち上がる一対の第２側壁１５，１５と、一対の第１側壁１４，１４のうち一対の第１側縁部１２，１２と対向する一対の第１対向側縁部１６，１６に延設されるとともにその延出方向の先端縁が互いに突き合わされて底壁１１と対向する天井壁を形成する一対の分割壁１７，１７と、からなる包装用箱体１０であって、一対の分割壁１７，１７はそれぞれ一対の第２側壁１５，１５と係止手段１８，１９により係止されている。【選択図】図２
2019094115.tif 000002
【特許請求の範囲】
【請求項１】
方形状の底壁と、
前記底壁のうち対向する一対の第１側縁部に延設されるとともに前記底壁から立ち上がる一対の第１側壁と、
前記底壁のうち前記第１側縁部と異なる一対の第２側縁部に延設されるとともに前記底壁から立ち上がる一対の第２側壁と、
前記一対の第１側壁のうち前記一対の第１側縁部と対向する一対の第１対向側縁部に延設されるとともにその延出方向の先端縁が互いに突き合わされて前記底壁と対向する天井壁を形成する一対の分割壁と、からなる包装用箱体であって、
前記一対の分割壁はそれぞれ前記一対の第２側壁と係止手段により係止されている包装用箱体。
【請求項２】
前記係止手段は、前記分割壁および前記第２側壁の一方側に延出して設けられた係止片と、他方側に設けられて前記係止片を差し込んで係止する係止孔である請求項１に記載の包装用箱体。
【請求項３】
前記係止片は前記分割壁に設けられ、前記係止孔は前記第２側壁に設けられている請求項２に記載の包装用箱体。
【請求項４】
方形状の底壁と、
前記底壁のうち対向する一対の第１側縁部に延設されるとともに前記底壁から立ち上がる一対の第１側壁と、
前記底壁のうち前記第１側縁部と異なる一対の第２側縁部に延設されるとともに前記底壁から立ち上がる一対の第２側壁と、
前記一対の第１側壁の一方側において、前記第１側縁部と対向する第１対向側縁部に延設されるとともに前記底壁と対向して配されて他方側の前記第１側壁まで延びる天井壁と、からなる包装用箱体であって、
前記天井壁は、前記他方側の第１側壁および前記一対の第２側壁とそれぞれ係止手段により係止されている包装用箱体。
【請求項５】
前記天井壁と前記一対の第２側壁とを係止する一対の前記係止手段は、前記天井壁および前記第２側壁の一方側に延出して設けられた係止片と、他方側に設けられて前記係止片を差し込んで係止する係止孔である請求項４に記載の包装用箱体。
【請求項６】
前記係止片は前記天井壁に設けられ、前記係止孔は前記第２側壁に設けられている請求項５に記載の包装用箱体。
【発明の詳細な説明】
【技術分野】
【０００１】
本発明は、ブロック状の物品を簡易に包装できる包装用箱体に関する。
【背景技術】
【０００２】
従来、ブロック状の物品を例えば傷つき防止のために包装または梱包する場合には、シート状の紙やフィルムを物品に沿うように折り曲げることにより包んだり、物品が収容可能なサイズの梱包箱に収容したりしている。このうち、シート状の紙やフィルムで包装する形態は、時間と手間がかかるため、梱包箱に収容する方が作業性に優れる。
【０００３】
一方、梱包箱としては様々な形態のものが提案されている。例えば、特許文献１には、底板および天板を２重に形成することにより、内側に収納する物品、例えば内箱に対して隙間が生じず、捨てスペースが少なく、必要な段ボールシートのスペースを少なくすることができる梱包箱が開示されている。
【０００４】
また特許文献２には、略扁平状に折り畳まれた状態から、複数個を積載可能な形態、収納した物品を見ることができる形態、手提げ部により持ち運び可能な形態などの複数種の形態に任意に組み立てることができる紙製梱包箱が開示されている。
【先行技術文献】
【特許文献】
【０００５】
【特許文献１】特開２００２−１４５２４４号公報
【特許文献２】特開２００３−７２７４０号公報
【発明の概要】
【発明が解決しようとする課題】
【０００６】
ところで、ブロック状の物品を内箱により梱包した後、複数個を丈夫な外箱に収納するような場合には、内箱は、できるだけ簡易な構成かつ軽量であることが好ましい。換言すれば、容易に組み立て可能で、かつ、できるだけ単層構造であることが好ましい。
【０００７】
本発明は上記のような事情に基づいて完成されたものであって、容易に組み立て可能で、かつ、単層構造とされた包装用箱体を提供することを目的とする。
【課題を解決するための手段】
【０００８】
本発明は、方形状の底壁と、前記底壁のうち対向する一対の第１側縁部に延設されるとともに前記底壁から立ち上がる一対の第１側壁と、前記底壁のうち前記第１側縁部と異なる一対の第２側縁部に延設されるとともに前記底壁から立ち上がる一対の第２側壁と、前記一対の第１側壁のうち前記一対の第１側縁部と対向する一対の第１対向側縁部に延設されるとともにその延出方向の先端縁が互いに突き合わされて前記底壁と対向する天井壁を形成する一対の分割壁と、からなる包装用箱体であって、前記一対の分割壁はそれぞれ前記一対の第２側壁と係止手段により係止されている。
【０００９】
また本発明は、方形状の底壁と、前記底壁のうち対向する一対の第１側縁部に延設されるとともに前記底壁から立ち上がる一対の第１側壁と、前記底壁のうち前記第１側縁部と異なる一対の第２側縁部に延設されるとともに前記底壁から立ち上がる一対の第２側壁と、前記一対の第１側壁の一方側において、前記第１側縁部と対向する第１対向側縁部に延設されるとともに前記底壁と対向して配されて他方側の前記第１側壁まで延びる天井壁と、からなる包装用箱体であって、前記天井壁は、前記他方側の第１側壁および前記一対の第２側壁とそれぞれ係止手段により係止されている。
【００１０】
上記構成によれば、ブロック状の物品を包装する際には、例えば厚紙で形成された展開状態の包装用箱体の底壁に物品を載置し、一対の第１側壁および第２側壁を底壁から立ち上げるように折り曲げ、一対の分割壁または天井壁を物品の上面に被せるとともに、係止手段により第２側壁と係止するという簡単な作業で、物品を包装することができる。
【００１１】
しかも単層構造とされるから、余計な部分がなく、軽量である。
【００１２】
上記包装用箱体は、以下の構成を備えていてもよい。
【００１３】
係止手段は、分割壁および第２側壁の一方側に延出して設けられた係止片と、他方側に設けられて係止片を差し込んで係止する係止孔であってもよい。
【００１４】
また、天井壁と一対の第２側壁とを係止する一対の係止手段は、天井壁および第２側壁の一方側に延出して設けられた係止片と、他方側に設けられて係止片を差し込んで係止する係止孔であってもよい。
【００１５】
このような構成によれば、従来必要であった接着剤やテープ、留め具等が不要であり、係止片を係止孔に差し込むという簡単な作業でブロック形状の物品に沿う箱状とすることができるから、さらに組立が容易になる。
【００１６】
さらに、係止片は分割壁に設けられ、係止孔は第２側壁に設けられていてもよい。また、係止片は天井壁に設けられ、係止孔は第２側壁に設けられていてもよい。
【００１７】
上記構成によれば、展開形態の包装用箱体を材料となるシートから切り取る際に、係止片のうち第２側壁の係止孔と係止する係止片は、分割壁または天井壁から、底壁からの第２側壁の延出方向に沿って延出されるから、係止片を第２側壁に設ける構成と比較して、包装用箱体を構成するシート状の材料を無駄なく利用することができる。
【発明の効果】
【００１８】
本発明によれば、容易に組み立て可能で、かつ、単層構造とされた包装用箱体が得られる。
【図面の簡単な説明】
【００１９】
【図１】実施形態１の包装用箱体の展開図
【図２】包装用箱体の組み立て過程の斜視図
【図３】包装用箱体の組み立て過程の右側面図
【図４】完成形態の包装用箱体の右側面図
【図５】完成形態の包装用箱体の斜視図
【図６】実施形態２の包装用箱体の組み立て過程の斜視図
【図７】完成形態の包装用箱体の斜視図
【発明を実施するための形態】
【００２０】
＜実施形態１＞
実施形態１を図１ないし図５よって説明する。
【００２１】
包装用箱体１０は、図示しないブロック状の物品をその物品の外面に沿って包むように収容するものであって、例えば厚紙からなり、自立可能な箱状をなす。ブロック状の物品は、包装用箱体１０により包装された後、複数個が段ボール等の外箱に収容されて搬送される。以下、図２の左下を前方、右上を後方、右下を右、左上を左、上を上方、下を下方として説明する。
【００２２】
本実施形態の包装用箱体１０は、図５示すように、扁平な直方体状をなしている。包装用箱体１０は、左右方向に長い長方形の板状の底壁１１と、底壁１１のうち前後方向において互いに対向する一対の第１側縁部１２（長尺とされた側縁部）から延びるとともに、底壁１１から上方に向けて立ち上がる一対の第１側壁１４と、底壁１１のうち左右方向において互いに対向する一対の第２側縁部１３（短尺とされた側縁部）から延びるとともに、底壁１１から上方に向けて立ち上がる一対の第２側壁１５と、一対の第１側壁１４の上端縁（第１対向側縁部１６とする）からさらに延びる一対の分割壁１７とからなる。
【００２３】
一対の分割壁１７は同形同大とされるとともに、各第１対向側縁部１６において第１側壁１４から内側に向けて直角に屈曲され、それらの先端縁１７Ａがぴったり突き合わされるように設定されている。すなわち、一対の分割壁１７は底壁１１と対向する天井壁を形成し、包装用箱体１０は閉じられた状態とされるようになっている。また、全体が単層構造とされている。
【００２４】
この閉じられた状態において、一対の分割壁１７のうち左方および右方に配された一対の側縁部１７Ｂは、第２側壁１５の上端縁１５Ａと突き合わされている。なお、第２側壁１５の上端縁１５Ａには何も延設されておらず、端面が露出している。
【００２５】
また、一対の第１側壁１４と一対の第２側壁１５の隣り合う側縁部１４Ｂ，１５Ｂは、互いに突き合わされている。
【００２６】
一対の分割壁１７のうち、左方および右方に配された一対の側縁部１７Ｂには、それぞれ係止片１８が延設されている（合計４つ）。係止片１８は、側縁部１７Ｂのうち第１側壁１４からの分割壁１７の延出方向の先端側（先端縁１７Ａ寄り）において、分割壁１７の板面から垂直に立ち上がるように設けられている。係止片１８は、その先端側が分割壁１７の先端縁１７Ａ側に斜めに屈曲されており、この屈曲された領域が、第２側壁１５の壁面に主に係止する係止部１８Ａとされている。
【００２７】
一方、一対の第２側壁１５には、上述した係止片１８を差し込むための一対の係止孔１９がそれぞれ設けられている。一対の係止孔１９は円弧状をなしており、一対の分割壁１７が閉じられるのに伴って係止片１８を受け入れ可能な位置および大きさに設定されている。
【００２８】
本実施形態の包装用箱体１０は以上のような構成であって、次に、組立手順について説明する。なお、組立手順は以下の順に限るものではない。
【００２９】
ブロック状の物品を包む場合には、まず、展開形態の包装用箱体１０の底壁１１に物品（図示せず）を載置する。そして、一対の第１側壁１４および一対の第２側壁１５を物品の側面に沿って底壁１１から立ち上げるように折り曲げる。
【００３０】
次に、一対の分割壁１７が物品の上面に沿うように、一対の第１側壁１４の上端縁を内側に向けて折り曲げる。またこの折り曲げ過程において、各第１側壁１４に設けられた各一対の係止片１８を、それらの先端側から係止孔１９に挿入する。係止片１８は、分割壁１７が閉じられるのに従い徐々に基端側まで挿入され、分割壁１７が閉じられた状態においては、係止部１８Ａが係止孔１９の幅方向における外側に張り出すことにより、第２側壁１５の壁面に係止する（図３および図４参照）。またこの係止状態において、係止片１８の先端側の縁部（先端縁１８Ｂ）は、底壁１１の上面に沿うように配されている（図４参照）。
【００３１】
次に、包装用箱体１０の作用効果について説明する。
【００３２】
本実施形態の包装用箱体１０は、長方形状の底壁１１と、底壁１１のうち対向する一対の第１側縁部１２に延設されるとともに底壁１１から立ち上がる一対の第１側壁１４と、底壁１１のうち第１側縁部１２と異なる一対の第２側縁部１３に延設されるとともに底壁１１から立ち上がる一対の第２側壁１５と、一対の第１側壁１４のうち一対の第１側縁部１２と対向する一対の第１対向側縁部１６に延設されるとともにその延出方向の先端縁１７Ａが互いに突き合わされて底壁１１と対向する天井壁を形成する一対の分割壁１７と、からなり、一対の分割壁１７はそれぞれ一対の第２側壁１５と、係止片１８および係止孔１９からなる係止手段により係止されている。
【００３３】
このような構成によれば、ブロック状の物品を包装する際には、厚紙で形成された展開状態の包装用箱体１０の底壁１１に物品を載置し、一対の第１側壁１４および第２側壁１５を底壁１１から立ち上げるように折り曲げ、一対の分割壁１７を物品の上面に被せるとともに、係止片１８を係止孔１９に差し込んで第２側壁１５と係止するという簡単な作業で、物品を包装することができる。
【００３４】
また、従来必要であった接着剤やテープ、留め具等が不要であり、係止片１８を係止孔１９に差し込むという簡単な作業でブロック形状の物品に沿う箱状とすることができる。
【００３５】
しかもこのような構成の包装用箱体１０は、係止片１８と第２側壁１５とが重なっている係止構造以外の領域は単層構造とされるから、余計な部分がなく、軽量である。
【００３６】
さらに、係止片１８は分割壁１７に設けられ、係止孔１９は第２側壁１５に設けられており、展開形態の包装用箱体１０を材料となるシートから切り取る際には、係止片１８は分割壁１７から、底壁１１からの第２側壁１５の延出方向に沿って延出される。したがって、係止片１８を第２側壁１５に設ける構成と比較して、包装用箱体１０を構成するシート状の材料を無駄なく利用することができる。
【００３７】
＜実施形態２＞
実施形態２を図６および図７によって説明する。なお、以下においては実施形態１と異なる構成についてのみ説明するものとし、実施形態１と同様の構成には実施形態１の符号に１０を加えた符号を付すこととし、重複する説明を省略する。
【００３８】
本実施形態の包装用箱体２０は、図６示すように、一対の第１側壁２４のうち図中後方側に配された一方側の第１側壁２４の上端縁（第１対向側縁部２６とする）に天井壁２７が延設されており、他方側の上端縁２４Ａには何も設けられずに端面が露出しているところが、実施形態１と相違している。天井壁２７は底壁２１と同形同大とされ、包装用箱体２０は天井壁２７により閉じられた状態とされる（図７参照）。また、全体が単層構造とされている。
【００３９】
この閉じられた状態において、天井壁２７のうち左方および右方に配された一対の側縁部２７Ｂは、第２側壁２５の上端縁２５Ａと突き合わされている。また、第１側壁２４からの天井壁２７の延出方向における先端縁２７Ａは、天井壁２７が設けられなかった第１側壁２４の露出された上端縁２４Ａと突き合わされている。
【００４０】
天井壁２７の先端縁２７Ａには、第１係止片３０が延設されている。また、天井壁２７の一対の側縁部２７Ｂには、それぞれ第２係止片３１が延設されている（合計３つ）。
【００４１】
第１係止片３０は先端縁２７Ａの中央において、天井壁２７の板面から垂直に立ち上がるように設けられている。第１係止片３０は先端縁２７Ａの延び方向に沿って延びる横長の長方形状とされている。
【００４２】
また第２係止片３１は側縁部２７Ｂの中央において、同じく天井壁２７の板面から垂直に立ち上がるように設けられている。第２係止片３１は、その先端側が天井壁２７の先端縁２７Ａ側に向けて斜めに屈曲されており、この屈曲された領域が、第２側壁２５の壁面に主に係止する係止部３１Ａとされている。
【００４３】
一方、図中前方側に配された第１側壁２４には、上述した第１係止片３０を差し込むための第１係止孔３２が設けられている。第１係止孔３２は横長のスリット状とされており、天井壁２７が閉じられるのに伴って第１係止片３０を受け入れ可能な位置および大きさに設定されている。
【００４４】
さらに、一対の第２側壁２５には、上述した第２係止片３１を差し込むための第２係止孔３３がそれぞれ設けられている。第２係止孔３３は円弧状をなしており、天井壁２７が閉じられるのに伴って第２係止片３１を受け入れ可能な位置および大きさに設定されている。
【００４５】
このような実施形態２の包装用箱体２０によっても、上記実施形態と同様に、簡単な作業で、物品を包装することができる。また、第１係止片３０と第１側壁２４とが重なっている係止構造、および、第２係止片３１と第２側壁２５とが重なっている係止構造以外の領域は単層構造とされるから、余計な部分がなく、軽量である。
【００４６】
さらに、第２係止片３１は天井壁２７に設けられ、第２係止孔３３は第２側壁２５に設けられており、展開形態の包装用箱体２０を材料となるシートから切り取る際には、第２係止片３１は天井壁２７から、底壁２１からの第２側壁２５の延出方向に沿って延出される。したがって、第２係止片３１を第２側壁２５に設ける構成と比較して、包装用箱体２０を構成するシート状の材料を無駄なく利用することができる。
【００４７】
＜他の実施形態＞
本発明は上記記述及び図面によって説明した実施形態に限定されるものではなく、例えば次のような実施形態も本発明の技術的範囲に含まれる。
【００４８】
（１）包装用箱体の組み立て順は上記実施形態に限るものではなく、適宜変更することができる。例えば、予め第１側壁および第２側壁を底壁から立ち上げた後に、物品を底壁に載置するようにしてもよい。
【００４９】
（２）分割壁または天井壁と、第１側壁および第２側壁との係止構造は上記実施形態に限るものでなく、他の形態としてもよい。
【００５０】
（３）上記実施形態では、係止片を分割壁または天井壁に設け、係止孔を第１側壁および第２側壁に設ける構成としたが、係止片を第１側壁および第２側壁に設け、係止孔を分割壁または天井壁に設ける構成としてもよい。
【００５１】
（４）上記実施形態１では、一対の分割壁１７を同形同大としたが、一方が大きく、他方が小さい形態としてもよい。
【００５２】
（５）係止片および係止孔が設けられる位置や数は上記実施形態に限るものではない。
【００５３】
（６）上記実施形態では、包装用箱体を厚紙で形成したが、包装用箱体の材質は上記実施形態に限るものではない。要は、組み立てた際に自立可能かつ係止可能であれば、どのような材質ものものであってもよい。
【００５４】
（７）上記実施形態では、各面の側縁部同士を単に突き合わせるだけの構成としたが、必要に応じて、テープ等で仮止め等することもできる。
【符号の説明】
【００５５】
１０、２０：包装用箱体、１１、２１：底壁、１２：第１側縁部、１３：第２側縁部、１４、２４：第１側壁、１５、２５：第２側壁、１６、２６：第１対向側縁部、１７：分割壁（天井壁）、１７Ａ：先端縁、１８：係止片（係止手段）、１９：係止孔（係止手段）、２７：天井壁、２７Ａ：先端縁、３０：第１係止片（係止手段）、３１：第２係止片（係止手段）、３２：第１係止孔（係止手段）、３３：第２係止孔（係止手段）
【図１】
2019094115.tif 000003
【図２】
2019094115.tif 000004
【図３】
2019094115.tif 000005
【図４】
2019094115.tif 000006
【図５】
2019094115.tif 000007
【図６】
2019094115.tif 000008
【図７】
2019094115.tif 000009